(57)【要約】      （修正有）【課題】異なる仕様の複数のドッキングポートを有する電子装置及びタブレット電子装置に接続でき、使用者の様々な需要を満たすアダプタ装置を提供する。【解決手段】アダプタ装置は、タブレット電子装置への接続に使用され、タブレット電子装置には少なくとも１つのドッキングポートが設置され、台座１０と、固定部２０と、少なくとも１つのアダプタケーブルとを備える。台座内部にはアダプタ回路基板が装設され、台座表面にはアダプタ回路基板にそれぞれ電気的に接続される異なる仕様の複数のアダプタポート１３が開設される。固定部は台座に装設され、前表面の中央部には前部収納空間が設けられ、タブレット電子装置は前部収納空間内に装着される。アダプタケーブルは台座及び固定部内に収納されると共に貫設され、アダプタケーブルの一端はアダプタ回路基板に電気的に接続され、他端にはタブレット電子装置のドッキングポートにドッキングされるプラグが設置される。【選択図】図２
0003213612.tif 000002
【実用新案登録請求の範囲】
【請求項１】
タブレット電子装置への接続に用いられ、前記タブレット電子装置には少なくとも１つのドッキングポートが設置され、
内部にアダプタ回路基板が装設され、表面には前記アダプタ回路基板にそれぞれ電気的に接続される異なる仕様の複数のアダプタポートが開設される台座と、
台座に装設され、前表面の中央部には前部収納空間が設けられ、前記タブレット電子装置が前記前部収納空間内に装入される固定部と、
前記台座及び前記固定部内に収納されると共に貫設され、一端が前記アダプタ回路基板に電気的に接続され、他端には前記タブレット電子装置の前記ドッキングポートにドッキングされるプラグが設置される少なくとも１つのアダプタケーブルとを備えることを特徴とするアダプタ装置。
【請求項２】
前記固定部は後ぶたと、固定板と、固定フレームとを備え、前記後ぶたは背板及び前記背板の前表面から凸設される４つの側板を含み、前記固定板は前記背板に固設され、前記固定板と前記背板との間には後部収納空間が形成され、前記固定フレームは前後が連接される４つの固定部材が周設されることにより形成され、前記固定フレームは前記後ぶた内に装設されると共に前記固定板の前方に固定され、前記前部収納空間は前記固定板、前記固定フレーム及び前記後ぶたの４つの前記側板が周設されることにより形成され、前記アダプタケーブルの前記プラグが設置される一端は前記後部収納空間内に収納され、前記プラグは前記後部収納空間及び前記前部収納空間内の前記固定板の一側に収納され、前記タブレット電子装置は前記前部収納空間内に装設されると共に前記固定板と前記固定フレームとの間に固定され、前記固定フレームの各前記固定部材は前記タブレット電子装置の前表面の四側にそれぞれ当接されることを特徴とする、請求項１に記載のアダプタ装置。
【請求項３】
各前記固定部材の後表面には全て少なくとも１つの保護パッドが貼着され、各前記固定部材は保護パッドを介して前記タブレット電子装置の前表面に当接されることを特徴とする、請求項２に記載のアダプタ装置。
【請求項４】
前記固定板の前表面の一側にはヒートシンクが設置され、前記固定板の前表面の他側には前記ヒートシンクと同じ厚さのガスケットが貼着され、前記後ぶたには前記後部収納空間及び前記前部収納空間に連通される複数の放熱穴が開設され、前記タブレット電子装置の背面は前記ヒートシンク及び前記ガスケットに当接されることを特徴とする、請求項２に記載のアダプタ装置。
【請求項５】
前記タブレット電子装置のドッキングポートはタブレット電子装置の一側に設置され、前記背板の前表面には複数のボスが凸設され、前記背板の前表面には枠状に周設される複数の保持壁が更に凸設され、各前記保持壁の前に向けて延出される長さは全てボスが前に向けて延出される長さより長く、各前記保持壁の前表面及び各前記ボスの前表面には段差が形成され、前記固定板は前記ボスの前表面に設置されると共に各前記保持壁の内側に位置され、前記固定板、前記タブレット電子装置の前記ドッキングポートの一側に対応する２つの前記保持壁、前記背板、前記タブレット電子装置の前記ドッキングポートの一側に対応する側板及び前記固定フレームの間にはプラグ用収納空間が周設されるように形成され、前記タブレット電子装置は各前記保持壁の内側に嵌設され、前記プラグは前記プラグ用収納空間内に収納されることを特徴とする、請求項２に記載のアダプタ装置。
【請求項６】
各前記保持壁の内側面には全て側面をタブレット電子装置の側面に互いに適合させるための突状リブが凸設されることを特徴とする、請求項５に記載のアダプタ装置。
【請求項７】
下側に位置される各前記保持壁には全て前記タブレット電子装置の底面に当接される滑り止めパッドが固設されることを特徴とする、請求項５に記載のアダプタ装置。
【請求項８】
各前記保持壁の外側面には全て前記背板及び前記側板にそれぞれ連接される強化リブが固設されることを特徴とする、請求項５に記載のアダプタ装置。
【請求項９】
前記固定板の側面には前記保持壁と前記側板との間にそれぞれ挿入されるラグ部が凸設され、各前記ラグ部の前表面には全て少なくとも１つの固定脚が凸設され、各前記固定脚には全て皿小ねじ孔が開設され、前記固定部材には複数のネジが更に装設され、各前記ネジは皿小ねじ孔内に対応するようにそれぞれ螺着されて前記固定フレームが前記固定脚の前表面に固定されることを特徴とする、請求項５に記載のアダプタ装置。
【請求項１０】
各前記皿小ねじ孔の底部には全て磁石が固設され、前記ネジが前記皿小ねじ孔内に螺着された後、前記磁石と前記ネジとの間にキャビティが形成されることを特徴とする、請求項９に記載のアダプタ装置。
【請求項１１】
各前記固定部材の内側縁が各前記保持壁に対応する箇所には全て後に向けて延伸される案内板が設置され、各前記案内板は対応する前記保持壁の外側面にそれぞれ嵌設されることを特徴とする、請求項５に記載のアダプタ装置。
【請求項１２】
前記固定部は枠状を呈する前ぶたを更に備え、且つ前記固定フレームの前部に固設されることを特徴とする、請求項２に記載のアダプタ装置。
【請求項１３】
各前記固定部材には複数の取付用切欠きがそれぞれ開設され、前記前ぶたの後表面には各前記取付用切欠きに対応するようにスナップフィットがそれぞれ凸設され、各前記スナップフィットは全て前記取付用切欠き内に収納されると共に前記固定フレームの底面に嵌設されることを特徴とする、請求項１２に記載のアダプタ装置。
【請求項１４】
前記後ぶたの下側に位置される前記側板には横向きに配列される複数の下部固定孔が開設され、前記固定フレームの下側に位置される前記固定部材には各前記下部固定孔に対応する箇所に開口部がそれぞれ開設され、前記前ぶたの後表面には各前記開口部に対応するように全て取付用ボスが凸設され、前記複数の取付用ボス内には全て上部固定孔が設けられ、各前記取付用ボスは前記開口部内に対応するようにそれぞれ収納されると共に前記固定板の後表面から突出され、各前記上部固定孔は前記下部固定孔にそれぞれ対応させ、前記複数の固定ネジにより前記下部固定孔及び前記上部固定孔にそれぞれ螺着され、これにより前記前ぶたが前記後ぶたに螺着されることを特徴とする、請求項１２に記載のアダプタ装置。
【請求項１５】
前記タブレット電子装置には電源スイッチが更に設置され、前記固定部は前記タブレット電子装置の前記電源スイッチに対応する箇所に前記電源スイッチに接触するスイッチボタンが更に設置され、前記スイッチボタンが押されると前記電源スイッチが入れ切りされることを特徴とする、請求項１に記載のアダプタ装置。
【考案の詳細な説明】
【技術分野】
【０００１】
本考案は、装置に関し、より詳しくは、電子製品のアダプタ装置に関する。
【背景技術】
【０００２】
電子科学技術の発展に伴い、タブレット型コンピューターも普及を拡げている。異なる使用環境でも使用可能にするために、タブレット型コンピューターを他の電子装置に組み合わせて使用する場面も増えている。
【考案の概要】
【考案が解決しようとする課題】
【０００３】
しかしながら、タブレット型コンピューターは小さくて薄いため、従来のタブレット型コンピューターには通常１つまたは２つのドッキングポートのみが設置され、データ、電源或いは音声信号への接続及び伝送にはアダプタケーブルが使用される。アダプタケーブルの一端にはタブレット型コンピューターのドッキングポートにドッキングさせるための第一ポートが設けられ、アダプタケーブルの他端には他の電子装置のドッキングポートにドッキングさせるための第二ポートが設けられる。タブレット型コンピューターと組み合わせられて使用される他の電子装置は仕様の異なるドッキングポートを有するため、異なる電子装置にそれぞれ合わせた異なる第二ポートを有するアダプタケーブルを設置させるのでは使用上不便であった（大量のアダプタケーブルを配置させる必要がある）。
【０００４】
そこで、本考案者は上記の欠点が改善可能と考え、鋭意検討を重ねた結果、合理的設計で上記の課題を効果的に改善する本考案の提案に到った。
【０００５】
かかる従来の実情に鑑みて、本考案は、アダプタ装置を提供することを目的とする。すなわち、従来の技術に存在する欠陥及び不足に対して、異なる仕様のドッキングポートを有する複数の電子装置及びタブレット型コンピューターの接続に使用可能なアダプタ装置を提供し、異なる使用環境でも使用可能にし、使用者の様々な需要を満たす。
【課題を解決するための手段】
【０００６】
上記目的を達成するため、本考案に係るアダプタ装置の特徴は、タブレット電子装置への接続に用いられ、前記タブレット電子装置には少なくとも１つのドッキングポートが設置され、台座と、固定部と、少なくとも１つのアダプタケーブルとを備える。前記台座内部にはアダプタ回路基板が装設され、台座の表面にはアダプタ回路基板にそれぞれ電気的に接続される異なる仕様の複数のアダプタポートが開設される。前記固定部は台座に装設され、前表面の中央部には前部収納空間が設けられ、前記タブレット電子装置は前部収納空間内に装入される。前記アダプタケーブルは台座及び固定部内に収納されると共に貫設され、アダプタケーブルの一端はアダプタ回路基板に電気的に接続され、アダプタケーブルの他端にはタブレット電子装置のドッキングポートにドッキングされるプラグが設置される。
【考案の効果】
【０００７】
本考案によれば、仕様の異なるドッキングポートを有する複数の電子装置及びタブレット型コンピューターの接続に使用可能なアダプタ装置であり、異なる使用環境で使用可能であり、使用者の様々な需要を満たす。
【図面の簡単な説明】
【０００８】
【図１】本考案の一実施形態に係るアダプタ装置を示す外観斜視図である。
【図２】図１に示すアダプタ装置を他の角度から見た外観斜視図である。
【図３】タブレット電子装置が本考案のアダプタ装置の前部収納空間に装設される後、前ぶたが装設されない外観斜視図である。
【図４】図３に示す本考案のアダプタ装置のＩＶの一部を示す拡大図である。
【図５】図３に示すタブレット電子装置を示す外観斜視図である。
【図６】図１に示す本考案のアダプタ装置を示す分解図である。
【図７】本考案のアダプタ装置の後ぶたを示す外観斜視図である。
【図８】図７に示す後ぶたのＶＩＩＩの一部を示す拡大図である。
【図９】本考案のアダプタ装置の固定板を示す外観斜視図である。
【図１０】固定板及び前ぶたがない本考案のアダプタ装置を示す外観斜視図である。
【図１１】本考案のアダプタ装置の固定フレームを示す外観斜視図である。
【図１２】本考案のアダプタ装置の固定フレームを他の角度から見た外観斜視図である。
【図１３】本考案のアダプタ装置の前ぶたを示す外観斜視図である。
【図１４】図１３に示す前ぶたを示す分解図である。
【図１５】図３に示す本考案のアダプタ装置の前面を示す概略図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１０】
以下に、図１及び図３〜図６を参照しながら、本考案のアダプタ装置をさらに詳しく説明する。本考案のアダプタ装置１００は、タブレット電子装置２００への接続に用いられ、台座１０と、固定部２０と、少なくとも１つのアダプタケーブル３０とを備える。
【００１１】
図１及び図２を参照し、前記台座１０の内部にはアダプタ回路基板が装設され（図示せず）、台座１０の表面にはアダプタ回路基板にそれぞれ電気的に接続される異なる仕様の複数のアダプタポート１３が開設される。具体的に、前記台座１０はベース１１及びアダプタ部１２を備え、前記ベース１１は円柱形を呈し、ベース１１の底面の後部にはコの字切欠き１１１が開設される。各前記アダプタポート１３はコの字切欠き１１１の前壁に開設され、前記ベース１１の内部には第一収納空間が設けられる（図示せず）。前記アダプタ回路基板はベース１１の第一収納空間内に装設され、前記アダプタ部１２はベース１１の上表面に固設され、アダプタ部１２の内部には第一収納空間に相互に連通される第二収納空間が設けられる（図示せず）。
【００１２】
図５に示されるように、前記タブレット電子装置２００には少なくとも１つのドッキングポート２０１が設置され、タブレット電子装置２００には電源スイッチ２０２が更に設置される。具体的に、本実施形態において、前記タブレット電子装置２００はタブレット型コンピューターであり、前記タブレット電子装置２００には複数のドッキングポート２０１が設置され、前記複数のドッキングポート２０１は全てタブレット電子装置２００の一側に設置され、前記電源スイッチ２０２はタブレット電子装置２００の上表面に設置される。
【００１３】
図１、図２、図６乃至図８、図１０及び図１５に示されるように、前記固定部２０は台座１０のアダプタ部１２に装設され、固定部２０の前表面の中央部には前部収納空間２８が設けられ、前記タブレット電子装置２００は前部収納空間２８内に装入される。前記固定部は後ぶた２１と、固定板２２と、固定フレーム２３と、ヒートシンク２４と、ガスケット２５と、前ぶた２６とを備える。前記後ぶた２１は矩形状を呈する背板２１１及び背板２１１の前表面から凸設されて形成される４つの側板２１２を含み、４つの側板２１２は前後が連接されて周設されることにより矩形枠として形成される。前記背板２１１の前表面には複数のボス２１３が凸設され、前記背板２１１の前表面には周設されて矩形枠状を呈する複数の保持壁２１４が更に凸設され、各前記保持壁２１４は前に向けて延出される長さが全てボス２１３が前に向けて延出される長さより長く、各保持壁２１４の前表面及び各ボス２１３の前表面には段差が形成される。前記固定板２２は背板２１１に固設され、固定板２２と背板２１１との間には後部収納空間２７が形成される。具体的に、前記固定板２２はボス２１３の前表面に設置されると共に各保持壁２１４の内側に位置される。前記固定フレーム２３は後ぶた２１内に装設されると共に固定板２２の前方に固定され、前記前部収納空間２８は固定板２２、固定フレーム２３及び後ぶた２１の４つの側板２１２が周設されることにより形成される。前記固定板２２、タブレット電子装置２００のドッキングポート２０１の一側に対応する２つの保持壁２１４、背板２１１、タブレット電子装置２００のドッキングポート２０１の一側に対応する側板２１２及び固定フレーム２３の間にはプラグ用収納空間４０が周設されるように形成される。
【００１４】
続いて、図４、図７、図８及び図１５に示されるように、各前記保持壁２１４の内側面には全て側面をタブレット電子装置２００の側面に互いに適合させるための突状リブ２１５が凸設され、前記タブレット電子装置２００が各保持壁２１４の内側に嵌設される。具体的に、各保持壁２１４のタブレット電子装置２００に適合させる側面には全て２つの突状リブ２１５が間隔を開けて凸設される。下側に位置される各保持壁２１４は２つの突状リブ２１５の間に全てタブレット電子装置２００の底面に当接される滑り止めパッド２１６が固設され、前記滑り止めパッド２１６は衝撃吸収機能を有すると共にタブレット電子装置２００の滑動を防止させる。各前記保持壁２１４の外側面には全て背板２１及び側板２１２にそれぞれ連接される強化リブ２１７が固設される。具体的に、各前記保持壁２１４の外側面には全て背板２１及び側板２１４にそれぞれ連接される２つの強化リブ２１７が間隔を開けて固設される。前記後ぶた２１は下側に位置される側板２１２に横向きに配列される複数の下部固定孔２１８が開設され、前記後ぶた２１の背板２１１には後部収納空間２７及び前部収納空間２８に連通される複数の放熱穴２９が開設される。
【００１５】
図１、図３及び図７に示されるように、前記固定部２０にはタブレット電子装置２００の電源スイッチ２０２に対応する箇所に電源スイッチ２０２に接触するスイッチボタン２１９が更に設置され、スイッチボタン２１９が押されると電源スイッチ２０２が入れ切りされる。具体的に、前記後ぶた２１には上側に位置される側板２１２にタブレット電子装置２００の電源スイッチ２０２に対応する箇所に電源スイッチ２０２に接触するスイッチボタン２１９が設置される。
【００１６】
なお、図９、図１０及び図１５に示されるように、前記固定板２２の各側面には全て保持壁２１４と側板２１２との間にそれぞれ挿入されるラグ部２２１が凸設され、各前記ラグ部２２１の前表面には全て少なくとも１つの固定脚２２２が凸設される。各固定脚２２２には全て漏斗形状を呈する皿小ねじ孔２２３が開設され、各前記皿小ねじ孔２２３の底部には全て磁石２２４が固設される。
【００１７】
また、図１１、図１２及び図１５に示されるように、前記固定フレーム２３は前後が連接される４つの固定部材２３１が周設されることにより形成され、前記タブレット電子装置２００は前部収納空間２８内に装設されると共に固定板２２と固定フレーム２３との間に固定され、前記固定フレーム２３の各固定部材２３１はタブレット電子装置２００の前表面の四側にそれぞれ当接される。具体的に、各前記固定部材２３１の後表面には全て少なくとも１つの保護パッド２３２が貼着され、各前記固定部材２３１は保護パッド２３２を介してタブレット電子装置２００の前表面に当接される。保護パッド２３２は衝撃吸収機能を有すると共に固定フレーム２３及びタブレット電子装置２００の装設時にタブレット電子装置２００の表面が擦過されるのを防止させる。前記固定フレーム２３の固定部材２３１には複数のネジ２３３が装設され、各前記ネジ２３３は皿小ねじ孔２２３内に対応するようにそれぞれ螺着されて固定フレーム２３が固定脚２２２の前表面に固定される。具体的に、前記固定部材２３１は各皿小ねじ孔２２３に対応する箇所にスルーホール２３４がそれぞれ開設され、前記複数のネジ２３３は前から後に向けて対応するスルーホール２３４内に装設され、各前記ネジ２３３は固定部材２３１の後表面に位置される一端にＣ形止め輪２３５が嵌設され、Ｃ形止め輪２３５によりネジ２３３が装設過程で脱落する事態が防止される。固定フレーム２３が固定板２２に装設される過程において、各ネジ２３３が皿小ねじ孔２２３に対して下垂する角度が大きすぎる場合、皿小ねじ孔２２３内の磁石２２４の影響を受けて角度が自動的に修正され、これによりネジ２２３が皿小ねじ孔２２３内に素早く螺着される。前記ネジ２２３が皿小ねじ孔２２３に螺着された後、皿小ねじ孔２２３内には磁石２２４とネジ２３３との間にキャビティ２３６が形成され、ネジ２３３の装設過程で摩擦により発生した鉄屑が磁石２２４によりキャビティ２３６内に吸着される。
【００１８】
図４及び図１１に示されるように、各前記固定部材２３１の内側縁が各保持壁２１４に対応する箇所には全て後に向けて延伸される案内板２３７が設置され、各前記案内板２３７は対応する保持壁２１４の外側面にそれぞれ嵌設されると共に各保持壁２１４の２つの強化リブ２１７の間に位置される。各前記固定部材２３１には複数の取付用切欠き２３８がそれぞれ開設され、前記固定フレーム２３には下側に位置される固定部材２３１に各下部固定孔２１８に対応する箇所に開口部２３９がそれぞれ開設される。
【００１９】
図６、図１０及び図１５に示されるように、前記固定板２２の前表面の一側にはヒートシンク２４が設置され、前記固定板２２の前表面の他側には前記ヒートシンク２４と同じ厚さのガスケット２５が貼着される。前記タブレット電子装置２００の背面はヒートシンク２４及びガスケット２５に当接される。具体的に、本実施形態において、前記タブレット電子装置２００の発熱部は上側に位置され、タブレット電子装置２００の発熱部位に対応するように前記ヒートシンク２４が固定板２２の前表面の上側に貼着され、前記ガスケット２５が固定板２２の前表面の下側に貼着される。
【００２０】
図１、図４、図８、図１１、図１３及び図１４に示されるように、前記前ぶた２６は矩形枠状を呈し、前ぶた２６は固定フレーム２３の前部に固設される。前記前ぶた２６の後表面には各取付用切欠き２３８に対応するようにスナップフィット２６１がそれぞれ凸設され、各スナップフィット２６１は全て取付用切欠き２３８内に収納されると共に固定フレーム２３の底面に嵌設される。前記前ぶた２６の後表面には各開口部２３９に対応するように全て取付用ボス２６２が凸設され、前記複数の取付用ボス２６２内には全て上部固定孔２６３が設けられ、前記上部固定孔２６３内には全て金属製ナット２６４が装設される。各前記取付用ボス２６２は開口部２３９内に対応するようにそれぞれ収納されると共に固定板２２の後表面から突出され、各上部固定孔２６３は下部固定孔２１８にそれぞれ対応させ、複数の固定ネジ（図示せず）により下部固定孔２１８及び上部固定孔２６３の金属製ナット２６４内にそれぞれ螺着され、これにより前ぶた２６が後ぶた２１の下側に位置される側板２１２に螺着される。
【００２１】
図５、図６及び図１０に示されるように、本実施形態において、２つのアダプタケーブル３０を備え、各前記アダプタケーブル３０は全て台座１０及び固定部２０内に収納されると共に貫設され、各アダプタケーブル３０の一端はアダプタ回路基板に電気的に接続され、各アダプタケーブル３０の他端には全てタブレット電子装置２００のドッキングポート２０１にドッキングされるプラグ３１が設置される。具体的に、前記２つのアダプタケーブル３０がアダプタ回路基板に電気的に接続される一端は第一収納空間及び第二収納空間内に収納され、前記２つのアダプタケーブル３０のプラグ３１が設置される一端は後部収納空間２７内に収納され、前記２つのプラグ３１は全て後部収納空間２７及び前部収納空間２８内の固定板２２の一側に収納される。さらに、前記２つのプラグ３１は全て前記プラグ用収納空間４０内に収納される。
【００２２】
図１、図３、図５、図６及び図１０に示されるように、タブレット電子装置２００が本考案に係るアダプタ装置１００内に装設されるフローチャートは以下の通りである。まず、前ぶた２６及び固定フレーム２３がそれぞれ取り外され、各プラグ３１がタブレット電子装置２００のドッキングポート２０１内に対応するようにそれぞれ挿着され、その後タブレット電子装置２００が前部収納空間２８内に装設され、固定フレーム２３がタブレット電子装置２００の前表面に設置されると共に固定板２２に螺着される。最後に、前ぶた２６が固定フレーム２３の前表面に固設されると共に後ぶた２１に螺着される。
【００２３】
上述したように、本考案のアダプタ装置１００は、台座１０内部にアダプタ回路基板が装設され、台座１０の表面にはアダプタ回路基板にそれぞれ電気的に接続される異なる仕様の複数のアダプタポート１３が開設され、アダプタケーブル３０の一端がアダプタ回路基板に電気的に接続され、アダプタケーブル３０の他端にタブレット電子装置２００のドッキングポート２０１にドッキングされるプラグ３１が設置される。これにより、異なる仕様のドッキングポートを有する複数の電子装置及びタブレット電子装置２００の接続を実現させ、異なる使用環境でも使用可能にし、使用者の様々な需要を満たす。
【００２４】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２５】
１００  アダプタ装置
１０  台座
１１  ベース
１１１  コの字切欠き
１２   アダプタ部
１３  アダプタポート
２０  固定部
２１  後ぶた
２１１  背板
２１２  側板
２１３  ボス
２１４  保持壁
２１５  突状リブ
２１６  滑り止めパッド
２１７  強化リブ
２１８  下部固定孔
２１９  スイッチボタン
２２  固定板
２２１  ラグ部
２２２  固定脚
２２３  皿小ねじ孔
２２４  磁石
２３  固定フレーム
２３１  固定部材
２３２   保護パッド 
２３３  ネジ
２３４  スルーホール
２３５  止め輪
２３６  キャビティ
２３７  案内板
２３８  取付用切欠き
２３９ 開口部
２４  ヒートシンク
２５  ガスケット
２６  前ぶた
２６１ スナップフィット
２６２  取付用ボス
２６３  上部固定孔
２６４  金属製ナット
２７  後部収納空間
２８  前部収納空間
２９  放熱穴
３０  アダプタケーブル
３１  プラグ
４０  プラグ用収納空間
２００  タブレット電子装置
２０１  ドッキングポート
２０２  電源スイッチ
【図１】
0003213612.tif 000003
【図２】
0003213612.tif 000004
【図３】
0003213612.tif 000005
【図４】
0003213612.tif 000006
【図５】
0003213612.tif 000007
【図６】
0003213612.tif 000008
【図７】
0003213612.tif 000009
【図８】
0003213612.tif 000010
【図９】
0003213612.tif 000011
【図１０】
0003213612.tif 000012
【図１１】
0003213612.tif 000013
【図１２】
0003213612.tif 000014
【図１３】
0003213612.tif 000015
【図１４】
0003213612.tif 000016
【図１５】
0003213612.tif 000017
【手続補正書】
【提出日】平成29年9月13日(2017.9.13)
【手続補正１】
【補正対象書類名】実用新案登録請求の範囲
【補正対象項目名】全文
【補正方法】変更
【補正の内容】
【実用新案登録請求の範囲】
【請求項１】
タブレット電子装置への接続に用いられ、前記タブレット電子装置には少なくとも１つのドッキングポートが設置され、
内部にアダプタ回路基板が装設され、表面には前記アダプタ回路基板にそれぞれ電気的に接続される異なる仕様の複数のアダプタポートが開設される台座と、
台座に装設され、前表面の中央部には前部収納空間が設けられ、前記タブレット電子装置が前記前部収納空間内に装入される固定部と、
前記台座及び前記固定部内に収納されると共に貫設され、一端が前記アダプタ回路基板に電気的に接続され、他端には前記タブレット電子装置の前記ドッキングポートにドッキングされるプラグが設置される少なくとも１つのアダプタケーブルとを備えることを特徴とするアダプタ装置。
【請求項２】
前記固定部は後ぶたと、固定板と、固定フレームとを備え、前記後ぶたは背板及び前記背板の前表面から凸設される４つの側板を含み、前記固定板は前記背板に固設され、前記固定板と前記背板との間には後部収納空間が形成され、前記固定フレームは前後が連接される４つの固定部材が周設されることにより形成され、前記固定フレームは前記後ぶた内に装設されると共に前記固定板の前方に固定され、前記前部収納空間は前記固定板、前記固定フレーム及び前記後ぶたの４つの前記側板が周設されることにより形成され、前記アダプタケーブルの前記プラグが設置される一端は前記後部収納空間内に収納され、前記プラグは前記後部収納空間及び前記前部収納空間内の前記固定板の一側に収納され、前記タブレット電子装置は前記前部収納空間内に装設されると共に前記固定板と前記固定フレームとの間に固定され、前記固定フレームの各前記固定部材は前記タブレット電子装置の前表面の四側にそれぞれ当接されることを特徴とする、請求項１に記載のアダプタ装置。
【請求項３】
各前記固定部材の後表面には全て少なくとも１つの保護パッドが貼着され、各前記固定部材は保護パッドを介して前記タブレット電子装置の前表面に当接されることを特徴とする、請求項２に記載のアダプタ装置。
【請求項４】
前記固定板の前表面の一側にはヒートシンクが設置され、前記固定板の前表面の他側には前記ヒートシンクと同じ厚さのガスケットが貼着され、前記後ぶたには前記後部収納空間及び前記前部収納空間に連通される複数の放熱穴が開設され、前記タブレット電子装置の背面は前記ヒートシンク及び前記ガスケットに当接されることを特徴とする、請求項２に記載のアダプタ装置。
【請求項５】
前記タブレット電子装置のドッキングポートはタブレット電子装置の一側に設置され、前記背板の前表面には複数のボスが凸設され、前記背板の前表面には枠状に周設される複数の保持壁が更に凸設され、各前記保持壁の前に向けて延出される長さは全てボスが前に向けて延出される長さより長く、各前記保持壁の前表面及び各前記ボスの前表面には段差が形成され、前記固定板は前記ボスの前表面に設置されると共に各前記保持壁の内側に位置され、前記固定板、前記タブレット電子装置の前記ドッキングポートの一側に対応する２つの前記保持壁、前記背板、前記タブレット電子装置の前記ドッキングポートの一側に対応する側板及び前記固定フレームの間にはプラグ用収納空間が周設されるように形成され、前記タブレット電子装置は各前記保持壁の内側に嵌設され、前記プラグは前記プラグ用収納空間内に収納されることを特徴とする、請求項２に記載のアダプタ装置。
【請求項６】
各前記保持壁の内側面には全て側面をタブレット電子装置の側面に互いに適合させるための突状リブが凸設されることを特徴とする、請求項５に記載のアダプタ装置。
【請求項７】
下側に位置される各前記保持壁には全て前記タブレット電子装置の底面に当接される滑り止めパッドが固設されることを特徴とする、請求項５に記載のアダプタ装置。
【請求項８】
各前記保持壁の外側面には全て前記背板及び前記側板にそれぞれ連接される強化リブが固設されることを特徴とする、請求項５に記載のアダプタ装置。
【請求項９】
前記固定板の側面には前記保持壁と前記側板との間にそれぞれ挿入されるラグ部が凸設され、各前記ラグ部の前表面には全て少なくとも１つの固定脚が凸設され、各前記固定脚には全て皿小ねじ孔が開設され、前記固定部材には複数のネジが更に装設され、各前記ネジは皿小ねじ孔内に対応するようにそれぞれ螺着されて前記固定フレームが前記固定脚の前表面に固定されることを特徴とする、請求項５に記載のアダプタ装置。
【請求項１０】
各前記皿小ねじ孔の底部には全て磁石が固設され、前記ネジが前記皿小ねじ孔内に螺着された後、前記磁石と前記ネジとの間にキャビティが形成されることを特徴とする、請求項９に記載のアダプタ装置。
【請求項１１】
各前記固定部材の内側縁が各前記保持壁に対応する箇所には全て後に向けて延伸される案内板が設置され、各前記案内板は対応する前記保持壁の外側面にそれぞれ嵌設されることを特徴とする、請求項５に記載のアダプタ装置。
【請求項１２】
前記固定部は枠状を呈する前ぶたを更に備え、且つ前記固定フレームの前部に固設されることを特徴とする、請求項２に記載のアダプタ装置。
【請求項１３】
各前記固定部材には複数の取付用切欠きがそれぞれ開設され、前記前ぶたの後表面には各前記取付用切欠きに対応するようにスナップフィットがそれぞれ凸設され、各前記スナップフィットは全て前記取付用切欠き内に収納されると共に前記固定フレームの底面に嵌設されることを特徴とする、請求項１２に記載のアダプタ装置。
【請求項１４】
前記後ぶたの下側に位置される前記側板には横向きに配列される複数の下部固定孔が開設され、前記固定フレームの下側に位置される前記固定部材には各前記下部固定孔に対応する箇所に開口部がそれぞれ開設され、前記前ぶたの後表面には各前記開口部に対応するように全て取付用ボスが凸設され、前記複数の取付用ボス内には全て上部固定孔が設けられ、各前記取付用ボスは前記開口部内に対応するようにそれぞれ収納されると共に前記固定板の後表面から突出され、各前記上部固定孔は前記下部固定孔にそれぞれ対応させ、複数の固定ネジにより前記下部固定孔及び前記上部固定孔にそれぞれ螺着され、これにより前記前ぶたが前記後ぶたに螺着されることを特徴とする、請求項１２に記載のアダプタ装置。
【請求項１５】
前記タブレット電子装置には電源スイッチが更に設置され、前記固定部は前記タブレット電子装置の前記電源スイッチに対応する箇所に前記電源スイッチに接触するスイッチボタンが更に設置され、前記スイッチボタンが押されると前記電源スイッチが入れ切りされることを特徴とする、請求項１に記載のアダプタ装置。